(57)【要約】【課題】ユーザの嗜好に応じて、最適な環境で各種の情報を提供できるようにする。【解決手段】ユーザにより設定された表示制御情報に基づいて、表示部１１にそれぞれの表示領域が形成され、そこに各種の情報が表示される。表示されている情報において所定のイベントが検出されたとき、その情報を表示する領域の位置または大きさが切り換えられる。例えば、領域２１に表示されている番組において、イベントとして所定の閾値以上の音量が検出されたとき、領域２１が可変領域１１Ａの全体にわたって表示されるように拡大される。また、領域３１Ａにおいて電子メールが受信されたとき、電子メールに関する表示と、領域２２の番組の表示が交換される。本発明は、表示部が設けられている各種の機器に適用することができる。【選択図】　　　図１
2004133733.tif 000002
【特許請求の範囲】
【請求項１】
複数の表示領域のそれぞれに所定の表示情報を表示可能な表示装置において、
前記表示領域の位置および大きさ、並びに、所定のイベントが検出された前記表示情報の表示の切り換えを表す表示制御情報を、ユーザによる入力に基づいて設定する設定手段と、
前記設定手段により設定された前記表示制御情報に基づいて、複数の前記表示領域を１つの表示部に形成し、複数の前記表示領域のそれぞれに前記表示情報が表示されるように制御する表示制御手段と
を備え、
前記表示制御手段は、前記イベントが検出されたとき、前記イベントが検出された前記表示情報が表示される前記表示領域の位置または大きさを、前記表示制御情報に基づいて切り換える
ことを特徴とする表示装置。
【請求項２】
前記設定手段は、前記表示情報の優先度を表す情報を前記表示制御情報として設定し、
前記表示制御手段は、前記優先度を表す情報に応じて、前記表示領域の位置および大きさを制御する
ことを特徴とする請求項１に記載の表示装置。
【請求項３】
前記設定手段は、他の表示装置が、前記表示領域に表示される前記表示情報を表示させるための接続先を表す情報を前記表示制御情報として設定する
ことを特徴とする請求項１に記載の表示装置。
【請求項４】
前記表示制御手段は、前記イベントとして、前記表示領域に表示される前記表示情報としての番組において所定の閾値以上の音量が検出されたとき、前記番組が表示される前記表示領域の位置または大きさを制御する
ことを特徴とする請求項１に記載の表示装置。
【請求項５】
前記表示制御手段は、前記イベントとして、電子メールが受信されたとき、前記電子メールに関する前記表示情報が表示される前記表示領域の位置または大きさを制御する
ことを特徴とする請求項１に記載の表示装置。
【請求項６】
前記表示制御手段は、前記イベントとして、所定の時刻になったとき、前記表示領域の位置または大きさを制御する
ことを特徴とする請求項１に記載の表示装置。
【請求項７】
前記表示制御手段は、前記イベントとして、前記表示領域に表示される映像において人物が検出されたとき、前記映像が表示される前記表示領域の位置または大きさを制御する
ことを特徴とする請求項１に記載の表示装置。
【請求項８】
前記表示制御情報を表す複数のシンボルを生成する生成手段をさらに備え、
前記表示制御手段は、前記生成手段により生成された複数の前記シンボルのそれぞれを前記表示情報として順次表示する
ことを特徴とする請求項１に記載の表示装置。
【請求項９】
前記表示制御情報を表す複数のシンボルのそれぞれが前記表示情報として他の装置において順次表示されることに応じて、前記シンボルを検出する検出手段と、
前記検出手段により検出された複数の前記シンボルに基づいて、前記表示制御情報を取得する取得手段と
をさらに備えることを特徴とする請求項８に記載の表示装置。
【請求項１０】
複数の表示領域のそれぞれに所定の表示情報を表示可能な表示装置の表示方法において、
前記表示領域の位置および大きさ、並びに、所定のイベントが検出された前記表示情報の表示の切り換えを表す表示制御情報を、ユーザによる入力に基づいて設定する設定ステップと、
前記設定ステップの処理により設定された前記表示制御情報に基づいて、複数の前記表示領域を１つの表示部に形成し、複数の前記表示領域のそれぞれに前記表示情報が表示されるように制御する表示制御ステップと
を含み、
前記イベントが検出されたとき、前記表示制御ステップの処理により、前記イベントが検出された前記表示情報が表示される前記表示領域の位置または大きさが、前記表示制御情報に基づいて切り換えられる
ことを特徴とする表示方法。
【請求項１１】
複数の表示領域のそれぞれに所定の表示情報を表示する表示処理をコンピュータに行わせるプログラムにおいて、
前記表示領域の位置および大きさ、並びに、所定のイベントが検出された前記表示情報の表示の切り換えを表す表示制御情報を、ユーザによる入力に基づいて設定する設定ステップと、
前記設定ステップの処理により設定された前記表示制御情報に基づいて、複数の前記表示領域を１つの表示部に形成し、複数の前記表示領域のそれぞれに前記表示情報が表示されるように制御する表示制御ステップと
を含み、
前記イベントが検出されたとき、前記表示制御ステップの処理により、前記イベントが検出された前記表示情報が表示される前記表示領域の位置または大きさが、前記表示制御情報に基づいて切り換えられる
ことを特徴とするプログラム。
【発明の詳細な説明】
【０００１】
【発明の属する技術分野】
本発明は、表示装置および方法、並びにプログラムに関し、特に、ユーザの嗜好に応じて、より好適な情報を提示できるようにする表示装置および方法、並びにプログラムに関する。
【０００２】
【従来の技術】
近年、ＬＣＤ（Ｌｉｑｕｉｄ　Ｃｒｙｓｔａｌ　Ｄｉｓｐｌａｙ）やＰＤＰ（Ｐｌａｓｍａ　Ｄｉｓｐｌａｙ　Ｐａｎｅｌ）の大型化、および通信技術の発達に伴い、それらのディスプレイに、単に、テレビジョン番組を表示させるだけでなく、インターネットや家庭内ＬＡＮ（Ｌｏｃａｌ　Ａｒｅａ　Ｎｅｔｗｏｒｋ）を介して取得された各種の映像を表示することが行われつつある。
【０００３】
これにより、例えば、インターネットを介して得られた遠隔地にあるカメラからの映像や、家庭内に設置されたパーソナルコンピュータに保存されている映像を、それらの映像の発信元に関わらず一元的に管理し、視聴することができる。
【０００４】
ところで、このように１つのディスプレイに各種の情報が表示される場合、快適に、かつ効率的にそれぞれの情報を視聴するためには、それぞれの情報の表示位置や大きさの設定が必要不可欠となるが、そのような、ディスプレイ上における表示位置等を設定する技術としては、以下のようなものがある。
【０００５】
特許文献１には、表示画面に表示される複数のウインドウについて、それぞれに表示される情報の内容や、それぞれの表示位置に関する設定をユーザ自身が行うことができる技術が開示されている。
【０００６】
特許文献２には、アプリケーションを変更することなく、例えば、イベントの発生位置を示す表示を、ユーザ自身がカスタマイズすることができる技術が開示されている。
【０００７】
【特許文献１】
特開平５−２８９８４０号公報（第５頁および第６頁、図８および図９）
【特許文献２】
特開平６−２８２３９６号公報（第３頁乃至第５頁、図２および図３）
【０００８】
【発明が解決しようとする課題】
しかしながら、特許文献１および特許文献２に開示されている技術においては、表示される情報において所定のイベントが発生したときに、その情報の表示位置や大きさ自体を切り換えて表示させることができず、イベントの発生をユーザに確実に確認させることができないという課題があった。
【０００９】
本発明はこのような状況に鑑みてなされたものであり、ユーザの嗜好に応じて、より好適な情報を提示できるようにするとともに、イベントの発生を、効率的に、かつ迅速に確認させることができるようにするものである。
【００１０】
【課題を解決するための手段】
本発明の表示装置は、表示領域の位置および大きさ、並びに、所定のイベントが検出された表示情報の表示の切り換えを表す表示制御情報を、ユーザによる入力に基づいて設定する設定手段と、設定手段により設定された表示制御情報に基づいて、複数の表示領域を１つの表示部に形成し、複数の表示領域のそれぞれに表示情報が表示されるように制御する表示制御手段とを備え、表示制御手段は、イベントが検出されたとき、イベントが検出された表示情報が表示される表示領域の位置または大きさを、表示制御情報に基づいて切り換えることを特徴とする。
【００１１】
設定手段は、表示情報の優先度を表す情報を表示制御情報として設定し、表示制御手段は、優先度を表す情報に応じて、表示領域の位置および大きさを制御するようにすることができる。
【００１２】
設定手段は、他の表示装置が、表示領域に表示される表示情報を表示させるための接続先を表す情報を表示制御情報として設定するようにすることができる。
【００１３】
表示制御手段は、イベントとして、表示領域に表示される表示情報としての番組において所定の閾値以上の音量が検出されたとき、番組が表示される表示領域の位置または大きさを制御するようにすることができる。
【００１４】
表示制御手段は、イベントとして、電子メールが受信されたとき、電子メールに関する表示情報が表示される表示領域の位置または大きさを制御するようにすることができる。
【００１５】
表示制御手段は、イベントとして、所定の時刻になったとき、表示領域の位置または大きさを制御するようにすることができる。
【００１６】
表示制御手段は、イベントとして、表示領域に表示される映像において人物が検出されたとき、映像が表示される表示領域の位置または大きさを制御するようにすることができる。
【００１７】
表示制御情報を表す複数のシンボルを生成する生成手段をさらに備えるようにすることができる。このとき、表示制御手段は、生成手段により生成された複数のシンボルのそれぞれを表示情報として順次表示する。
【００１８】
表示制御情報を表す複数のシンボルのそれぞれが他の装置において順次表示されることに応じて、シンボルを検出する検出手段と、検出手段により検出された複数のシンボルに基づいて、表示制御情報を取得する取得手段とをさらに備えるようにすることができる。
【００１９】
本発明の表示装置の表示方法は、表示領域の位置および大きさ、並びに、所定のイベントが検出された表示情報の表示の切り換えを表す表示制御情報を、ユーザによる入力に基づいて設定する設定ステップと、設定ステップの処理により設定された表示制御情報に基づいて、複数の表示領域を１つの表示部に形成し、複数の表示領域のそれぞれに表示情報が表示されるように制御する表示制御ステップとを含み、イベントが検出されたとき、表示制御ステップの処理により、イベントが検出された表示情報が表示される表示領域の位置または大きさが、表示制御情報に基づいて切り換えられることを特徴とする。
【００２０】
本発明のプログラムは、表示領域の位置および大きさ、並びに、所定のイベントが検出された表示情報の表示の切り換えを表す表示制御情報を、ユーザによる入力に基づいて設定する設定ステップと、設定ステップの処理により設定された表示制御情報に基づいて、複数の表示領域を１つの表示部に形成し、複数の表示領域のそれぞれに表示情報が表示されるように制御する表示制御ステップとを含み、イベントが検出されたとき、表示制御ステップの処理により、イベントが検出された表示情報が表示される表示領域の位置または大きさが、表示制御情報に基づいて切り換えられることを特徴とする。
【００２１】
本発明の表示装置および方法、並びにプログラムにおいては、表示領域の位置および大きさ、並びに、所定のイベントが検出された表示情報の表示の切り換えを表す表示制御情報が、ユーザによる入力に基づいて設定され、設定された表示制御情報に基づいて、複数の表示領域が１つの表示部に形成され、複数の表示領域のそれぞれに表示情報が表示されるように制御される。また、イベントが検出されたとき、イベントが検出された表示情報が表示される表示領域の位置または大きさが、表示制御情報に基づいて切り換えられる。
【００２２】
【発明の実施の形態】
図１は、本発明を適用した表示装置１の構成例を示す外観図である。
【００２３】
表示装置１の正面には、そのほぼ全体にわたって表示部１１が形成されている。表示部１１は、例えば、ＴＦＴ（Ｔｈｉｎ　Ｆｉｌｍ　Ｔｒａｎｓｉｓｔｏｒ）が各画素に配設された、有機または無機のＥＬ（Ｅｌｅｃｔｒｏｌｕｍｉｎｅｓｃｅｎｃｅ）ディスプレイやＬＣＤ（Ｌｉｑｕｉｄ　Ｃｒｙｓｔａｌ　Ｄｉｓｐｌａｙ）からなり、画素毎にその駆動を制御し、所定の図形や文字などの画像を表示する。
【００２４】
表示部１１は、一点鎖線で示されるように、可変領域１１Ａおよび固定領域１１Ｂからなり、可変領域１１Ａにおいては、各種の情報（画像）の表示サイズや表示位置が、そのときの状況やユーザの設定に応じて切り換えられる。また、固定領域１１Ｂにおいては、所定のイベントが検出された場合であっても、それぞれの情報の表示サイズ等が切り換えられず、固定とされる。
【００２５】
なお、図１に示される、可変領域１１Ａと固定領域１１Ｂの範囲を示す一点鎖線は、画面上には表示されず、ユーザが目視できないものであってもよい。
【００２６】
表示部１１には、各種のカテゴリからなる情報が表示され、図１の例においては、可変領域１１Ａの領域２１乃至２３には、それぞれ異なるチャンネルのテレビジョン番組の映像が表示され、領域２４および２５には、インターネットなどを介して取得された趣味情報が表示されている。
【００２７】
固定領域１１Ｂに形成されている領域３１には、電子メールを管理するプログラムによる、電子メールの着信の有無を通知するメッセージが表示され、領域３２には、遠隔地に設置されたカメラからの映像が表示されている。具体的には、領域３１は、表示装置１のユーザの人数に応じてさらに２つの領域に区分され、領域３１Ａおよび３１Ｂともに電子メールが受信されていないことが表示されている。また、領域３２を構成する領域３２Ａおよび３２Ｂには、それぞれ異なる位置に設置されたカメラによる映像が表示されている。
【００２８】
領域３３は、交通情報が表示される領域とされ、領域３３Ａには山手線の運行情報が、領域３３Ｂには新幹線の運行情報がそれぞれ交通情報として表示されている。領域３４は、屋外などに設置された監視カメラによる映像が表示される領域とされ、領域３４Ａと領域３４Ｂにはそれぞれ異なる位置に設置されたカメラによる映像が表示されている。さらに、領域３５は、天気情報が表示される領域とされ、領域３５Ａにはユーザにより設定された地域の天気予報を表す図形が表示され、領域３５Ｂには全国の天気図が表示されている。
【００２９】
このように、表示装置１には、単に、テレビジョン番組の映像が表示されるだけでなく、ユーザによる設定に従って、配信元が異なる、各種のカテゴリの情報（表示情報）が表示される。
【００３０】
また、表示装置１に表示される情報は、そのときの状況に応じて、表示位置や表示サイズが変更されるようになされており、例えば、領域２１に表示されている番組において所定の閾値以上の音量が検出されたとき、領域２１が拡大され、可変領域１１Ａの全体にわたって、番組の映像が表示される。
【００３１】
また、例えば、電子メールが着信されたとき、それまで電子メールに関する情報が表示されていた領域３１Ａと、領域２２の表示内容が交換され、電子メールの着信を通知するメッセージが図１の領域２２に表示される。
【００３２】
このように、基本的に、ユーザの注意を喚起する必要のある、換言すれば、優先度の高い情報については、ユーザがより見やすい位置またはサイズにより表示される。以下においては、番組の音量が所定の閾値を超えること、或いは、電子メールの着信など、表示の切り換えが行われるためのトリガを、適宜、イベントと称する。
【００３３】
図２は、図１の表示装置１の内部構成の例を示すブロック図である。
【００３４】
ＣＰＵ（Ｃｅｎｔｒａｌ　Ｐｒｏｃｅｓｓｉｎｇ　Ｕｎｉｔ）５１は、ＲＯＭ（Ｒｅａｄ　Ｏｎｌｙ　Ｍｅｍｏｒｙ）５２に記憶されているプログラム、または、記憶部５７からＲＡＭ（Ｒａｎｄｏｍ　Ａｃｃｅｓｓ　Ｍｅｍｏｒｙ）５３にロードされたプログラムに従って各種の処理を実行する。ＲＡＭ５３にはまた、ＣＰＵ５１が各種の処理を実行する上において必要なデータなどが適宜記憶される。
【００３５】
ＣＰＵ５１、ＲＯＭ５２、およびＲＡＭ５３は、バス５４を介して相互に接続されている。このバス５４にはまた、入出力インタフェース５５も接続されている。
【００３６】
入出力インタフェース５５には、ＴＦＴが各画素に配設された、有機または無機のＥＬディスプレイやＬＣＤからなる表示部１１、リモートコントローラから出射された赤外線を受光し、ユーザからの入力を受け付ける入力部５６、ハードディスクやフラッシュメモリなどより構成される記憶部５７が接続されている。
【００３７】
また、入出力インタフェース５５には、インターネットなどのネットワークを介して、或いは、表示装置１が設置されている屋内に構築されたＬＡＮ（Ｌｏｃａｌ　ＡｒｅａＮｅｔｗｏｒｋ）を介して、各種の機器と通信を行う通信部５８、図示せぬアンテナにおいて受信されたテレビジョン放送波から取得された信号を、ＣＰＵ５１の制御に基づいて処理する信号入力部５９が接続されている。
【００３８】
入出力インタフェース５５にはまた、必要に応じてドライブ６０が接続され、磁気ディスク７１、光ディスク７２、光磁気ディスク７３、或いは半導体メモリ７４などが適宜装着され、それから読み出されたコンピュータプログラムが、必要に応じて記憶部５７にインストールされる。
【００３９】
図３は、図２のＣＰＵ５１により所定の制御プログラムが実行されて実現される機能構成例を示すブロック図である。
【００４０】
入力受付部８１は、入力部５６に対するユーザの入力を受け付ける。表示装置１に各種の情報を表示させるとき、ユーザは、例えば、表示部１１に形成される各領域に表示する情報の内容、表示の大きさ、および、所定のイベントが検出された際の、各領域の表示の切り換えに関する情報（以下、適宜、表示制御情報と称する）を設定する必要があり、入力部５６は、ユーザによる設定の入力を受け付ける。入力受付部８１により受け付けられた情報は表示制御情報生成部８２に出力される。
【００４１】
表示制御情報生成部８２は、入力受付部８１から供給されてきた情報に基づいて、表示制御情報を生成する。ユーザによる表示制御情報の設定は、例えば、表示部１１に表示されるウィザードに従って行われ、そのウィザードにおいて提示されるメニューの中から選択された選択項目に関する情報や、リモートコントローラのテンキーやアルファベットキーがユーザにより直接操作されて入力された情報が、予め用意されている雛形に適用され、表示制御情報生成部８２により表示制御情報が生成される。
【００４２】
表示制御情報生成部８２により生成された表示制御情報は、記憶制御部８３に供給され、記憶制御部８３により、例えば、図２の記憶部５７に保存される。
【００４３】
表示制御部８４は、記憶制御部８３により記憶が制御され、そのとき参照する情報として設定されている表示制御情報に従って、表示部１１における情報の表示を制御する。
【００４４】
例えば、表示制御部８４は、信号処理部８５から供給されるテレビジョン番組の映像情報に基づく表示や、通信制御部８６から供給される、所定のサイトの画面を表示するための画像情報に基づく表示を、表示制御情報を参照して制御し、所定のイベントを検出した場合、そのイベントの内容に従って、表示部１１の表示を切り換える。表示制御部８４による各種の情報の制御については後に詳述する。
【００４５】
信号処理部８５は、信号入力部５９を制御し、入力された信号（アンテナにおいて受信されたテレビジョン放送波から取得された信号）から、ユーザにより指示されている所定の番組信号を抽出し、番組の映像情報を表示制御部８４に出力する。
【００４６】
通信制御部８６は、通信部５８を制御し、通信部５８を介して取得された各種の情報を表示制御部８４に出力する。通信制御部８６により、例えば、所定のサイトの画面を表す画像情報、遠隔地に設置されたカメラにより撮影され、インターネットを介して通信部５８において受信された映像情報、屋外に設置された監視カメラにより撮影され、家庭内ＬＡＮを介して通信部５８において受信された映像情報などが取得される。
【００４７】
次に、以上のような構成を有する表示装置１の動作について説明する。
【００４８】
始めに、図４のフローチャートを参照して、ユーザからの入力に基づいて表示制御情報を設定する表示装置１の処理について説明する。
【００４９】
ステップＳ１において、図３の入力受付部８１は、入力部５６に対するユーザの入力に基づいて、表示カテゴリ毎の各種の設定を受け付ける。すなわち、表示部１１に表示する情報のカテゴリが選択され、それぞれのカテゴリ毎に、詳細な設定が入力される。
【００５０】
例えば、表示部１１に表示する情報のカテゴリとして、テレビジョン放送波から取得されるテレビジョン番組が選択された場合、表示するチャンネル等の設定が受け付けられ、インターネットを介して所定のサイトから取得される趣味情報が選択された場合、そのサイトのアドレス等の設定が受け付けられる。
【００５１】
また、表示部１１に表示するカテゴリとして、電子メールの受信の有無などの電子メールに関する情報が選択された場合、そのユーザに関する情報、および、ＰＯＰ３（Ｐｏｓｔ　Ｏｆｆｉｃｅ　Ｐｒｏｔｏｃｏｌ　３）サーバ、ＳＭＴＰ（Ｓｉｍｐｌｅ　Ｍａｉｌ　Ｔｒａｎｓｆｅｒ　Ｐｒｏｔｏｃｏｌ）サーバ等の設定が受け付けられ、学校に設置されているカメラにより撮影される映像が表示カテゴリとして選択された場合、カメラの映像を配信しているサーバのＩＰアドレス等の設定が受け付けられる。
【００５２】
さらに、所定のサイトから取得される交通機関情報が、表示する情報のカテゴリとして選択された場合、その情報を提供するサイトのアドレス等の設定が受け付けられ、住居の近傍に設置されている監視カメラにより撮影される映像が表示カテゴリとして選択された場合、その監視カメラが設置されている位置を指定する情報等の設定が受け付けられ、所定のサイトから取得される天気情報が選択された場合、天気情報を提供するサイトのアドレス等の設定が受け付けられる。
【００５３】
それぞれの表示カテゴリ毎に、表示位置、表示サイズ、リンク先などの各種の情報が設定される。また、ステップＳ２において、イベントが検出されたときの、表示の切り換えの設定が受け付けられ、ステップＳ３において、特殊表示の内容の設定が受け付けられる。ユーザにより設定される情報の詳細については、具体例を示して後述する。
【００５４】
ステップＳ４において、ユーザにより入力された情報に基づいて、表示制御情報生成部８２により表示制御情報が生成され、ステップＳ５において、生成された表示制御情報が記憶制御部８３により記憶部５７に保存される。
【００５５】
図５は、上述した、表示カテゴリとして選択されたテレビジョン番組（ＴＶ番組）、趣味情報、電子メール、学校の状況（カメラの映像）、交通機関情報、監視カメラの映像、および、天気情報に対して設定された、表示対象と表示設定の例（表示制御情報の例）を示す図である。
【００５６】
例えば、上方に表示されている表示カテゴリが、より優先度が高いカテゴリとされ、さらに、各カテゴリ内においては、左方に設定されている表示対象が、より優先度が高い対象とされる。
【００５７】
従って、図５の例においては、最も優先度が高い表示カテゴリはテレビジョン番組であり、最も優先度が低い表示カテゴリは天気情報である。また、テレビジョン番組の表示対象（表示内容）として、「１ｃｈ」、「２ｃｈ」、「３ｃｈ」が選択されており、その中でも、「１ｃｈ」により放送されている番組が、最も優先度が高い表示対象とされている。
【００５８】
従って、図５に示される表示制御情報が設定されている場合、「１ｃｈ」により放送される番組が、ユーザにより最も注目されやすい領域２１（図１）に表示され、「２ｃｈ」により放送される番組が領域２２に表示され、「３ｃｈ」により放送される番組が領域２３に表示される。また、表示カテゴリ毎に比較した場合、優先度が最も低い天気情報が、表示部１１の右下隅に形成される領域３５に表示される。
【００５９】
これにより、優先度に応じた表示が可能となり、より優先度が高い表示対象に対して、表示部１１のうちの最も注目される領域が割り当てられる。
【００６０】
なお、図５においては、テレビジョン番組の表示設定は「ＴＶ番組を表示」とされており、受信された番組の内容がそのままそれぞれの領域に表示される。
【００６１】
２番目に優先度が高い表示カテゴリである趣味情報に対して設定された表示対象は「投資情報」と「レストランガイド」とされ、その表示設定は「ＵＲＬ（Ｕｎｉｆｏｒｍ　Ｒｅｓｏｕｒｃｅ　Ｌｏｃａｔｏｒ）指定、またはＵＲＬのソースコードから取得表示」とされている。従って、図１に示される表示部１１のうちの領域２４に、ユーザにより指定されたＵＲＬから取得された「投資情報」が表示され、領域２５に、「レストランガイド」が表示される。
【００６２】
以下、同様に、「Ａさん」と「Ｂさん」から送信されてきた電子メールを表示部１１の領域３１Ａと領域３１Ｂにそれぞれ表示すること、および、新規メールが送信されてきたときに、その表示を更新すること（「新規メールで表示更新」）が設定されている。また、インターネットを介して配信される、学校（保育園）の「教室」と「校庭」に設置されたカメラからの映像を領域３２Ａと領域３２Ｂにそれぞれ表示することが設定されている。
【００６３】
さらに、図５の例においては、指定されたＵＲＬから取得される「山手線」の交通機関情報と「新幹線」の交通機関情報を領域３３Ａと領域３３Ｂにそれぞれ表示することが設定され、「玄関」と「勝手口」に設置された監視カメラによる映像を領域３４Ａと領域３４Ｂにそれぞれ表示することが設定され、インターネットを介して取得される「東京地区」の天気情報と「台風情報」を領域３５Ａと領域３５Ｂにそれぞれ表示することが設定されている。
【００６４】
図６は、図５に示される表示対象の表示レイアウトに関する表示制御情報の例を示す図である。これらの表示レイアウトに関する情報も、適宜、ユーザにより設定される。
【００６５】
図６の例においては、表示レイアウトを指定する情報として、枠（領域）の中心座標と大きさ、および、領域に表示される文字のフォントの大きさが設定されており、表示部１１の左上を原点（「０，０」）とし、右下を終点（「１００，１００」）とした場合、例えば、「１ｃｈ」により放送される番組の表示領域の中心座標が「５０，５０」として設定され、領域の大きさが「５０」として設定されている。
【００６６】
同様に、表示対象毎に、それを表示する領域の中心座標と大きさ、および、表示する内容によってフォントの大きさが設定されている。
【００６７】
このように、表示装置１においては、各表示対象のレイアウトも、ユーザが好みに応じて設定可能とされている。従って、表示部１１には、ユーザによる設定に応じて、位置および大きさ、並びに、表示されるフォントの大きさが異なる領域が形成される。
【００６８】
図５および図６に示される表示制御情報は、表示部１１に各情報を表示するための基本となる情報（初期設定）であり、上述したように、これ以外にも、表示される情報のリンク先を指定するための情報、イベントが発生したときの表示の切り換えを指定する情報、および、特殊表示の有無を指定する情報などが表示制御情報として設定される。
【００６９】
次に、図７のフローチャートを参照して、イベントが発生したときに各領域の表示を制御する表示装置１の処理について説明する。
【００７０】
ステップＳ１１において、表示制御部８４は、記憶制御部８３により記憶部５７から読み出された表示制御情報の初期設定に従って、表示部１１の表示を制御する。従って、図５および図６に示される表示制御情報がユーザにより設定されている場合、その表示制御情報に従って、図１に示される画面が表示される。
【００７１】
表示制御部８４は、ステップＳ１２において、信号処理部８５または通信制御部８６からの出力に基づいて、表示している情報においてイベントが発生したか否かを判定し、イベントが発生したと判定するまで待機する。ステップＳ１２においてイベントが発生したと判定した場合、表示制御部８４は、ステップＳ１３に進み、イベントが発生したときの表示の切り換えの設定を表示制御情報から取得し、その設定に従って、表示部１１の表示を制御する。
【００７２】
例えば、図８の表示制御情報に示されるように、図１の領域２４のリンク先として、「１９２．１６８．０．２５５」のＩＰアドレスにより指定される山本さんのディスプレイが指定されており、そのディスプレイにリンクさせることがユーザにより指示された場合、または、山本さんのディスプレイからリンクすることが要求された場合、表示制御部８４は、ステップＳ１３において、通信制御部８６を介して、表示装置１の領域２４に表示されている情報と、山本さんのディスプレイに表示されている情報をリンクさせる。従って、この場合、リンクさせることの指示および要求がイベントとされている。
【００７３】
例えば、図９に示されるように、表示装置１１１（山本さんのディスプレイ）の表示部１２１に、表示装置１と同様に「投資情報」が表示される領域１３１が形成されている場合、ネットワーク１０１を介して、領域２４と領域１３１の情報がリンク（共有）される。すなわち、通信制御部８６により通信部５８が制御され、表示装置１１１との間で通信が確立された後、領域２４に表示されている情報と、領域１３１に表示されている情報の同期がとられる。
【００７４】
このように、所定の領域の表示を、他の装置に形成されている領域の表示とリンクさせることにより、それぞれの装置のユーザ間で、情報を共有することができる。
【００７５】
当然、設定に応じて、図９に示される「投資情報」の以外の情報も、他の装置の表示とリンクされる。なお、図９に示される表示装置１および表示装置１１１の画面においては、説明の便宜上、領域２４と領域１３１以外は、いずれの情報も表示されていないが、実際には、それぞれの表示制御情報の設定に応じて、図１に示される画面と同様に、各領域に所定の情報が表示される。後述する、図１１、図１２、図１３、図１６、図１７においても同様である。
【００７６】
図１０は、カテゴリ毎に設定されている、イベント条件（内容）と、イベントが発生した場合の表示の切り換え（レイアウトの変更）を表す表示制御情報の例を示す図である。
【００７７】
図１０においては、「１ｃｈ」により放送されるテレビジョン番組で大歓声（所定の閾値以上の音量）がイベントとして検出された場合、その番組の表示が、可変領域１１Ａの全面に拡大されることが設定されている。
【００７８】
従って、図１の領域２１に表示されている番組（「１ｃｈ」により放送されるテレビジョン番組）において、所定の閾値以上の音量が検出された場合、図７のステップＳ１３において、表示制御部８４は、領域２１を可変領域１１Ａの全面に拡大して表示する。これにより、表示装置１の表示は、図１１に示されるものとなる。
【００７９】
比較的大きな音量が番組内で検出された場合、そのときの場面は、番組が盛り上がっている場面であることが予想されるため、複数の番組が同時に表示されている場合であっても、図１１に示されるように１つの番組が拡大されて表示されることにより、ユーザは、その場面を確実に視聴することができる。
【００８０】
また、図１０に示されるように、電子メール（画像を含むメール）が送信されてきたとき、領域３１の電子メールに関する情報と、領域２２の番組の映像を交代して表示することが設定されており、イベントとして、領域３１Ａにおいて電子メールが受信された場合、図１２に示されるように、電子メールに関する情報が領域２２に表示され、番組の映像が領域３１Ａに表示される。
【００８１】
このように、ユーザに注意を喚起する必要がある情報を、表示部１１のより中央に表示させることにより、その情報をユーザに確実に提示することが可能となる。
【００８２】
なお、図１２の領域２２には、１つの電子メールが受信されたことを通知するメッセージとして、「未読メール１」の文字が表示されている。
【００８３】
さらに、図１０に示されるように、子供のお弁当の時刻になったとき、領域３２に表示されている学校の映像と、領域２１に表示されている番組の映像を交代することが設定されており、実際にその時刻になった場合、図１３に示されるように、領域３２Ａの映像と、領域２１の映像が交換して表示される。
【００８４】
また、図１０に示されるように、イベントとして、監視カメラにより不審者が確認されたとき、そのカメラによる映像を、表示部１１の全面に表示させるように設定することも可能である。これにより、例えば、監視カメラにより不審者が確認されたとき、表示装置１の表示は、図１４に示されるものとなる。
【００８５】
このように、イベントの発生に応じて、各種の情報の表示位置および表示サイズが切り換えられるため、ユーザは、自分自身にとって重要な情報を、より確実に確認することができる。
【００８６】
また、ユーザは、表示制御情報を設定することにより、キャラクタなどを含むＣＧ（Ｃｏｍｐｕｔｅｒ　Ｇｒａｐｈｉｃ）を表示部１１に表示させ、そのキャラクタにより各種のイベントの発生を通知させるようにすることもできる。
【００８７】
図１５は、ＣＧの表示に関する表示制御情報の例を示す図であり、図１５に示されるように、テレビジョン番組に対してＣＧにより表示することが設定されている場合（ＣＧ表現の欄に対して「ＣＧアプリ内での扱い」が設定されている場合）、例えば、図１６に示されるように、テレビジョン番組の映像とＣＧが組み合わされた情報が番組情報として表示される。
【００８８】
図１６に示される例においては、領域２１が可変領域１１Ａの全体に拡大して表示され、拡大表示された領域２１に、リビングを表すＣＧ画像が表示されている。領域２１に表示されるリビングには、テレビジョン受像機画像１４１と、テレビジョン受像機画像１４１に表示される番組を視聴しているキャラクタ１４２が表示されている。このテレビジョン受像機画像１４１に表示されている番組の映像は、ユーザにより選択された番組の映像である。
【００８９】
そして、テレビジョン受像機画像１４１に表示されている番組において、所定の閾値以上の音量がイベントとして検出された場合、キャラクタ１４２により、それに対するアクションが行われる。例えば、テレビジョン受像機画像１４１にサッカーの試合の映像が表示されており、得点シーンで所定の閾値以上の音量が検出された場合、喜びを表現するようなアクションがキャラクタ１４２により行われる。
【００９０】
このように、表示されるキャラクタのアクションなどにより、イベントが発生したことがユーザに提示されるようにすることにより、表示部１１の表示自体に、エンターテインメント性をもたせることができる。
【００９１】
また、図１７に示されるように、キャラクタ１５１やキャラクタ１５２を表示部１１に表示させ、図１６の例のように、キャラクタ１４１のアクションによりイベントの発生が提示されるのではなく、キャラクタ１５１やキャラクタ１５２により、直接、イベントが発生されたことが通知されるようにしてもよい。この場合、例えば、キャラクタ１５１の発言により、電子メールが受信されたことがユーザに通知される。
【００９２】
なお、図１５において、表示設定の欄に示される「フルタイム表示」は、キャラクタなどのＣＧが常時表示される設定を表し、「パートタイム表示」は、イベントが発生したときなどの、所定のタイミングでＣＧが表示される設定を表している。また、「自動画面」は、ユーザの操作によらずに、キャラクタが自律的に各種の行動をとる設定を表している。
【００９３】
以上においては、主に、表示装置１が家庭内（住居）に設置される場合について説明したが、図１８に示されるように、学校（大学）、オフィス、店舗（百貨店）、病院（総合病院）などの様々な場所に設置されるようにしてもよい。
【００９４】
図１８に示されるように、例えば、表示装置１が住居（家庭内）に設置される場合、表示装置１には、地域情報、天気情報、学校の情報、近隣における回覧板の情報、所属しているコミュニティの情報、交通機関情報、セキュリティに関する情報、趣味情報、ＴＶ番組情報、電子メールの情報などが表示され、学校に設置される場合、表示装置１には、教官からの通知、事務局からの通知、サークルからの通知、天気情報、交通機関情報、食堂の情報、周辺の店舗の広告情報などが表示される。
【００９５】
図１８には、同様に、オフィス、店舗、病院に表示装置１が設置される場合において、表示される情報の例が示されている。
【００９６】
また、以上においては、１つの表示制御情報に基づいて、表示装置１の表示が制御されるとしたが、複数の表示制御情報が登録されている場合、そのときの時刻によって、参照される表示制御情報が切り換えられるようにしてもよい。
【００９７】
図１９は、時刻によって、表示制御情報の設定が切り換えられる場合の例を示す図である。
【００９８】
この例においては、午前７時乃至午前９時の時間が、表示制御情報Ｄ１が設定される時間帯とされ、午前９時乃至午後１６時の時間が、表示制御情報Ｄ２が設定される時間帯とされている。また、午後１６時乃至午後２１時の時間が、表示制御情報Ｄ３が設定される時間帯とされ、午後２１時乃至午後２３時３０分の時間が、表示制御情報Ｄ４が設定される時間帯とされている。
【００９９】
このように、そのときの時刻によって表示制御情報が切り換えられることにより、表示装置１を利用するユーザに応じて、時刻毎の最適な表示が可能となる。
【０１００】
例えば、表示装置１が家庭内に設置されている場合、図１９の表示制御情報Ｄ１は、家族全員を対象とする表示制御情報（家族全員に最適な情報を表示する表示制御情報）とされ、表示制御情報Ｄ２は、午前９時乃至午後１６時の時間に表示装置１の利用頻度が高い母親を対象とする表示制御情報とされ、表示制御情報Ｄ３は、午後１６時乃至午後２１時の時間に表示装置１の利用頻度が高い子供を対象とする表示制御情報とされ、表示制御情報Ｄ４は、午後２１時乃至午後２３時３０分の時間に表示装置１を利用する頻度が高い両親を対象とする表示制御情報とされる。
【０１０１】
なお、上述した表示制御情報は、例えば、以下に示されるような情報処理システムにより、表示装置１から、表示部が設けられている他の装置に転送することが可能である。
【０１０２】
図２０は、表示制御情報を含む、各種の情報を送受信する情報処理システムの構成例を示す図である。
【０１０３】
表示部１１の右下に表示されているシンボル１６１は、表示制御情報を表す図形画像（マトリクス型の２次元コード）であり、例えば、表示部１１による１フレームの表示毎に、その白黒のパターンが切り換えられる。具体的には、表示制御情報を外部の機器に転送するとき、表示装置１は、表示制御情報が表される、複数のシンボル（２次元コード）からなるシンボル列を生成し、１フレームの表示毎に各シンボルを順次表示する。
【０１０４】
従って、表示されるシンボルを検出し、それを解析することにより、シンボルを検出可能なリーダが設けられている機器は、表示部１１に表示されるシンボルを介して、表示制御情報を取得することができる。
【０１０５】
情報処理端末１７１は、ＰＤＡ（Ｐｅｒｓｏｎａｌ　Ｄｉｇｉｔａｌ　Ａｓｓｉｓｔａｎｔｓ）やパーソナルコンピュータ、或いは、携帯電話機などから構成され、ケーブル１７３を介して、表示装置１に表示されるシンボルを読み取り可能なリーダライタ１７４が接続されている。先端面１７４Ａが表示部１１に表示されているシンボル１６１に当接されたとき、リーダライタ１７４により、表示部１１に表示されるシンボル１６１が読み取られる。
【０１０６】
すなわち、リーダライタ１７４は、表示部１１の表示周期に併せて、表示されるシンボル１６１のパターンを所定の期間連続して検出する。リーダライタ１７４により検出されたシンボルのデータは、ケーブル１７３を介して情報処理端末１７１に出力される。
【０１０７】
情報処理端末１７１は、リーダライタ１７４から転送されてきたデータに基づいて、複数のシンボルが時系列的に並べられたシンボル列を取得し、さらに、取得したシンボル列から表示制御情報を取得する。これにより、シンボル１６１を介して、表示装置１から情報処理端末１７１に対して、表示部１１に設定されている表示制御情報が転送されることになる。
【０１０８】
例えば、６０Ｈｚの周波数でプログレッシブ方式によりシンボルが順次表示され、かつ、１シンボルにより２ＫＢ（Ｂｙｔｅ）のデータが表される場合、９６０Ｋｂｐｓ（６０（回／秒）×２（ＫＢ）×８（ｂｉｔ））の転送レートでデータが転送されることになる。また、近年、４００Ｈｚの周波数で高画質な映像を表示できるディスプレイなども開発されているが、そのように非常に短い周期で、１つのシンボルで２ＫＢのデータが表されるシンボルが順次表示された場合、６４００Ｋｂｐｓ（４００（回／秒）×２（ＫＢ）×８（ｂｉｔ））の転送レートでデータが転送されることになる。
【０１０９】
すなわち、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）８０２．１１ａ，８０２．１１ｂなどのいわゆる無線ＬＡＮや、Ｂｌｕｅｔｏｏｔｈなどの無線通信によらない場合であっても、比較的高転送レートでデータを送受信させることができる。
【０１１０】
なお、１つのシンボルにより表されるデータ量は、その大きさや誤り訂正の方式などにより適宜変更可能である。また、１つのシンボルにより表されるデータ量と、表示部１１の表示周波数により、転送レートも適宜変更可能である。
【０１１１】
情報処理端末１７１においては、シンボル１６１を介して表示装置１から転送されてきた表示制御情報が内部の記憶部に保存される。
【０１１２】
従って、ユーザは、リーダライタ１７４の先端面１７４Ａを、表示されているシンボル１６１に当接させるといった、非常に直感的な操作により、表示装置１から情報処理端末１７１に表示制御情報を取り込ませることができる。
【０１１３】
また、ユーザは、リーダライタ１７４の先端面１７４Ａを、表示部１１の所定の位置に形成された読み取り領域に当接させることで、上述したものと反対に、情報処理端末１７１から表示装置１に対して、表示制御情報を含む各種の情報を入力することができる。
【０１１４】
例えば、図２１に示されるように、表示部１１の右下に、表示装置１により読み取り領域１８１が形成され、そこに当接されたリーダライタ１７４から、シンボルを介しての表示制御情報の転送が行われる。
【０１１５】
詳細な説明については後述するが、表示部１１の各画素に配設されているＴＦＴには、その画素により所定の画像の一部を表示させるとき、正方向のバイアス電圧が印加され、一方、その画素により、リーダライタ１７４において出力されるシンボルを検出させるとき、逆方向のバイアス電圧が印加される。従って、読み取り領域１８１は、例えば、表示部１１の各画素のうち、逆方向のバイアス電圧が印加された複数の画素から構成される。
【０１１６】
そのように逆方向のバイアス電圧が印加された画素（ＴＦＴ）に対して、外部から光が入射されたとき（リーダライタ１７４からシンボルの白黒のパターンを表す光が入射されたとき）、ＴＦＴの活性半導体層においては、リーク電流が発生されるため、読み取り領域１８１を構成する各画素において検出されたリーク電流の有無に基づいて、各画素に対する、外部からの光の照射の有無が検出される。
【０１１７】
すなわち、リーダライタ１７４からシンボルに対応する光が読み取り領域１８１に照射されたとき、読み取り領域１８１を構成する各画素において、シンボルの白黒が検出される。
【０１１８】
具体的には、リーダライタ１７４内において表示されるシンボルのうち、黒色の部分が当接された読み取り領域１８１の画素においては、リーク電流が発生されず、一方、白色の部分が当接された画素においては、リーク電流が発生され、それが検出される。
【０１１９】
そして、読み取り領域１８１の各画素における検出結果が合成され、リーダライタ１７４内において表示された１つのシンボルが表示装置１により取得される。また、それが所定の期間繰り返されることで、リーダライタ１７４に表示されたシンボル列（表示制御情報を表す全てのシンボル）が表示装置１に取り込まれる。表示装置１においては、シンボル列の解析により表示制御情報が復元され、取得される。
【０１２０】
これによりユーザは、表示部１１に表示されるシンボル１６１にリーダライタ１７４を当接させるだけで表示装置１から情報処理端末１７１に表示制御情報を含む各種の情報を取り込むことができるとともに、同様に、リーダライタ１７４を読み取り領域１８１に当接させるだけで、情報処理端末１７１において選択した表示制御情報を含む各種の情報を表示装置１に転送することができる。
【０１２１】
なお、図２１の例においては、表示部１１に形成される読み取り領域１８１が一点鎖線により表されているが、ユーザが目視できるように、所定の大きさの枠画像が表示され、その枠の中に形成されるようにしてもよい。
【０１２２】
また、図２１の例においては、表示部１１のうち、読み取り領域１８１以外の領域にはいずれの画像も表示されていないが、読み取り領域１８１を構成する画素にのみ逆方向のバイアス電圧が印加されているため、読み取り領域１８１以外の領域には、図１に示されるように、テレビジョン番組の映像などの各種の画像を表示させておくことが可能である。
【０１２３】
さらに、図２１においては、表示装置１に対して情報処理端末１７１から表示制御情報が転送される場合について図示されているが、同様にして、表示装置１から情報処理端末１７１に取り込まれた表示制御情報が、表示部が設けられている他の表示装置に転送される。
【０１２４】
以上のようにしてシンボルを介して表示制御情報が送受信される場合、図３の表示制御部８４は、例えば、図２２に示されるような構成となる。
【０１２５】
制御部１９１は、表示制御部８４の全体の動作を制御し、例えば、記憶制御部８３により読み出された表示制御情報を参照し、信号処理部８５からの出力に基づいて、所定のチャンネルの番組の映像を表示させたり、通信制御部８６からの出力に基づいて、所定のサイトの画面を表示させる。
【０１２６】
画像信号生成部１９２は、制御部１９１から供給されるデータに対応する画像を表示するための画像信号を生成し、生成した画像信号を、表示部１１の駆動を制御するコントローラ１９３に出力する。
【０１２７】
また、画像信号生成部１９２は、シンボル処理部１９７により生成され、供給されてきたデータに基づいて、例えば、１画面毎（１フレームの表示毎）に１つのシンボルを表示させるための画像信号を生成し、それをコントローラ１９３に出力する。
【０１２８】
コントローラ１９３は、表示部１１の各画素に配設されているＴＦＴのゲート電極に印加される電圧を制御するゲートドライバ１９５、および、ゲートドライバ１９５の駆動に連動して、ＴＦＴのソース電極−ドレイン電極間の電圧を制御するソースドライバ１９４の駆動を制御する。
【０１２９】
例えば、コントローラ１９３は、表示部１１の所定の位置に読み取り領域を形成することが制御部１９１から指示されたとき、読み取り領域を形成する画素（画素のＴＦＴ）には、逆方向のバイアス電圧が印加されるようにゲートドライバ１９５を制御するとともに、それ以外の領域には、正方向のバイアス電圧が印加されるようにゲートドライバ１９５を制御する。
【０１３０】
これにより、読み取り領域が形成される画素は、ゲートがオフにされた状態となり、上述したように、外部から照射される光に対応したリーク電流が発生され、リーダライタ１７４において出力されているシンボルのパターンを検出することが可能となる。また、それ以外の画素は、ゲートがオンにされた状態となり、ソースドライバ１９４により供給される電圧に対応する電流により、画素電極に接続されているＥＬ素子が発光され、画像の一部が表示される。
【０１３１】
ここで、図２３および図２４を参照して、表示部１１の各画素に配設されるＴＦＴの動作についてより詳細に説明する。
【０１３２】
図２３は、画像を表示する画素（シンボルの読み取り領域を構成する画素ではない画素）としてコントローラ１９３により制御された表示部１１の１画素を示している。
【０１３３】
例えば、ゲートドライバ１９５によりＴＦＴ２０１のゲート電極２０１Ａ（Ｇ）に正方向の電圧が印加され、オンにされたとき、実線矢印で示されるように、ソースドライバ１９４により印加された電圧に応じて、アルファモスシリコンやポリシリコンからなる活性半導体層（チャネル）中を、ソース電極２０１Ｂ（Ｓ）からドレイン電極２０１Ｃ（Ｄ）方向に電流が流れる。
【０１３４】
ＴＦＴ２０１のドレイン電極２０１Ｃには、ＥＬ素子２０４のアノード電極２０４Ａが接続されており、ドレイン電極２０１Ｃから供給されてきた電流がＥＬ素子２０４間を流れたとき、その電流に応じて、電界発光素子であるＥＬ素子２０４が発光する。
【０１３５】
このようにして発光された光が表示部１１の表面を透過して表示装置１の外部に出射され、図２３の画素により画像の一部が表示される。なお、図２３においては、説明の便宜上、ＥＬ素子２０４から、白抜き矢印で示されるように図の右方向に光が出射されているが、実際には、アノード電極２０４Ａまたはカソード電極２０４Ｂのいずれかが透明電極により構成され、その透明電極を透過して、ＥＬ素子２０４により発光された光が外部に出射される。
【０１３６】
一方、ゲートドライバ１９５によりＴＦＴ２０１のゲート電極２０１Ａ（Ｇ）に逆方向の電圧が印加され、ゲートがオフにされたとき、ソースドライバ１９４により電圧が印加された場合であっても活性半導体層中に電流が流れず、結果として、ＥＬ素子２０４に電流が流れないため発光されない。この状態において、図２４の白抜き矢印で示されるように、外部から光が照射されたとき、ＴＦＴ２０１の活性半導体層の光伝導性により、微量ではあるがドレイン電極２０１Ｃからソース電極２０１Ｂ方向にリーク電流（オフ電流）が発生する。また、ＥＬ素子２０４も、同様に、逆方向の電圧が印加された状態において光が照射されたとき、自ら発光することなく、逆方向の電流を発生する。
【０１３７】
このようにして発生された電流が検出され、図２４の画素に外部から光が照射されたこと、すなわち、図２４の画素に対応するリーダライタ１７４のシンボル表示部の位置（図２４の画素の正面）には、シンボルの白の領域が表示されていることが検出される。
【０１３８】
図２５は、図２３および図２４に示される画素において発生された電流の計測結果を表している。図２５において、横軸はゲート電極２０１Ａに印加された電圧を表しており、縦軸は画素中の電流を表している。
【０１３９】
計測結果ｌ１は、正方向の電圧が印加された状態において、光が照射されたときにチャネル中を流れた電流の値を示しており、計測結果ｌ２は、正方向の電圧が印加された状態において、光が照射されていないときにチャネル中を流れた電流の値を示している。
【０１４０】
この計測結果ｌ１およびｌ２により、正方向の電圧が印加されている場合は、外部からの光の有無に関わらず、ソースドライバ１９４により印加された電圧に応じた電流が流れていることがわかる。すなわち、この場合、計測対象の画素により、画像の一部が表示されている。
【０１４１】
一方、図２５の計測結果ｌ３は、逆方向の電圧が印加されている状態において、外部から光が照射されたときに、その画素において発生されたリーク電流の値を表しており、外部から光が照射されていないときの電流値を表す計測結果ｌ４と比較して明らかなように、発生される電流に差が生じている。
【０１４２】
例えば、約マイナス５ボルトの電圧（逆方向の電圧）が印加されている状態において、外部から所定の光量の光が照射された場合、「１Ｅ−８（Ａ）」程度の電流（ＴＦＴの活性半導体層中において発生された電流と、ＥＬ素子により発生された電流）が発生されている。
【０１４３】
従って、逆方向のバイアス電圧が印加された画素において検出される電流の値が、所定の閾値以上の値をとるか否かに基づいて、その画素に対して光が照射されたか否かが検出される。なお、実際には、図２５の各信号がそれぞれ増幅され、増幅後の信号から、光の照射の有無が検出される。
【０１４４】
図２５においては、計測結果ｌ４により、外部から光が照射されていない場合であっても、「１Ｅ−１０（Ａ）」程度の微小な電流が発生されていることが示されているが、これは計測中のノイズによるものである。なお、ＲＧＢのうちのいずれの色を発光するＥＬ素子であっても、図２５に示されるものとほぼ同一の計測結果が得られる。
【０１４５】
図２３および図２４の例においては、１画素に１つのＴＦＴが設けられるとしたが、２つのＴＦＴが設けられる２ＴＦＴ型の画素や、４つのＴＦＴが設けられる４ＴＦＴ型の画素の場合でも、同様に、それぞれのＴＦＴにおいて発生されるリーク電流に基づいて、外部からのシンボルの入力を検出させることができる。
【０１４６】
また、表示部１１がＬＣＤである場合（ＥＬ素子２０４が設けられる自発光型のディスプレイでない場合）、図２３および図２４のＥＬ素子２０４の位置に液晶が設けられ、各画素が構成される。この場合、逆方向のバイアス電圧が印加され、外部から光が照射された場合であっても、液晶からは、ＥＬ素子２０４のように電流が発生されないため、その画素に配設されているＴＦＴにおいて発生されたリーク電流のみに基づいて、シンボルの白黒のパターンが検出される。
【０１４７】
図２２の説明に戻り、検出部１９８は、上述したように、逆方向のバイアス電圧が印加された画素において発生された電流を検出し、その検出結果をシンボル処理部１９７に出力する。
【０１４８】
シンボル処理部１９７は、検出部１９８からの出力に基づいて、読み取り領域を構成する各画素における検出結果を合成し、リーダライタ１７４により出力されたシンボルを取得する。
【０１４９】
また、シンボルを検出する処理が所定の期間（ソースデータを転送するのに必要な期間）だけ繰り返し実行され、図２６に示されるようなシンボル列がシンボル処理部１９７により取得される。
【０１５０】
図２６に示される例においては、シンボルＳ１乃至Ｓ３は、検出の際に同期をとるためのシンボルとされ、単純なパターンからなるシンボルが繰り返される。そして、シンボルＳ４乃至Ｓｎにより、表示制御情報を含む各種の情報が表される。
【０１５１】
図２６に示されるようなシンボル列がシンボル処理部１９７により取得され、データ処理部１９６に出力される。
【０１５２】
また、シンボル処理部１９７は、表示部１１の所定の位置にシンボルを表示し、情報処理端末１７１にデータを転送するとき、データ処理部１９６から供給されてきたデータに基づいて、シンボルを生成する。シンボル処理部１９７により生成されたシンボル列のデータは画像信号生成部１９２に出力される。例えば、シンボル処理部１９７により、図２６に示されるシンボル列が生成された場合、表示部１１には、シンボルＳ１乃至Ｓｎのそれぞれが、１フレームの表示毎に順次表示される。
【０１５３】
データ処理部１９６は、表示部１１にシンボルを表示するとき、制御部１９１により取得され、供給されてきたソースデータ（情報処理端末１７１に転送する表示制御情報）に対して、スクランブル、誤り訂正ブロックの付加、変調処理等を適宜施し、得られたデータをシンボル処理部１９７に出力する。
【０１５４】
また、データ処理部１９６は、表示部１１に形成された読み取り領域においてシンボルが検出され、それを表すデータがシンボル処理部１９７から供給されてきたとき、供給されてきたデータに対して復調処理、誤り訂正処理、およびデスクランブル処理等を適宜施し、得られたソースデータ（情報処理端末１７１から転送されてきたデータ）を制御部１９１に供給する。
【０１５５】
制御部１９１に供給された、情報処理端末１７１から転送されてきたデータは、記憶部５７に記憶されたり、或いは、転送されてきたデータに基づく画像信号生成部１９２およびコントローラ１９３の処理により、対応する画像が表示部１１に表示される。
【０１５６】
以上のような構成を有する表示装置１により、シンボルを介して表示制御情報の送受信が行われる。これにより、ユーザは、所定の表示装置において１度設定した表示制御情報を、他の装置に容易に入力することができ、自分自身の嗜好に応じた最適な環境で装置を利用することができる。
【０１５７】
上述した一連の処理は、ハードウェアにより実行させることもできるが、ソフトウェアにより実行させることもできる。
【０１５８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１５９】
この記録媒体は、図２に示されるように、装置本体とは別に、ユーザにプログラムを提供するために配布される、プログラムが記録されている磁気ディスク７１（フレキシブルディスクを含む）、光ディスク７２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク７３（ＭＤ（登録商標）（Ｍｉｎｉ−Ｄｉｓｋ）を含む）、もしくは半導体メモリ７４などよりなるパッケージメディアにより構成されるだけでなく、装置本体に予め組み込まれた状態でユーザに提供される、プログラムが記録されているＲＯＭ５２や、記憶部５７に含まれるハードディスクなどで構成される。
【０１６０】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１６１】
【発明の効果】
本発明によれば、ユーザの嗜好に応じて、最適な環境で各種の情報を提供することができる。
【０１６２】
また、本発明によれば、イベントの発生を、効率的に、かつ迅速にユーザに確認させることができる。
【図面の簡単な説明】
【図１】本発明を適用した表示装置の構成例を示す外観図である。
【図２】図１の表示装置の内部構成の例を示すブロック図である。
【図３】図１の表示装置の機能構成例を示すブロック図である。
【図４】表示装置の表示制御情報設定処理を説明するフローチャートである。
【図５】表示制御情報の例を示す図である。
【図６】表示制御情報の他の例を示す図である。
【図７】表示装置の表示制御処理を説明するフローチャートである。
【図８】表示制御情報のさらに他の例を示す図である。
【図９】情報の共有を示す概念図である。
【図１０】表示制御情報の例を示す図である。
【図１１】表示装置の表示例を示す図である。
【図１２】表示装置の他の表示例を示す図である。
【図１３】表示装置のさらに他の表示例を示す図である。
【図１４】表示装置の表示例を示す図である。
【図１５】表示制御情報の他の例を示す図である。
【図１６】表示装置の他の表示例を示す図である。
【図１７】表示装置のさらに他の表示例を示す図である。
【図１８】表示装置が設置される位置と、表示される情報の例を示す図である。
【図１９】表示制御情報の切り換えの例を示す図である。
【図２０】情報処理システムの構成例を示す図である。
【図２１】情報処理システムの構成例を示す他の図である。
【図２２】図３の表示制御部の詳細な構成例を示すブロック図である。
【図２３】図１の表示部を構成する画素の詳細を示す図である。
【図２４】図１の表示部を構成する画素の詳細を示す他の図である。
【図２５】図２３および図２４の画素において検出される電流値の計測結果の例を示す図である。
【図２６】シンボル列の例を示す図である。
【符号の説明】
１　表示装置，　１１　表示部，　７１　磁気ディスク，　７２　光ディスク，　７３　光磁気ディスク，　７４　半導体メモリ，　８１　入力受付部，　８２　表示制御情報生成部，　８３　記憶制御部，　８４　表示制御部，　８５　信号処理部，　８６　通信制御部
【図１】
2004133733.tif 000003
【図２】
2004133733.tif 000004
【図３】
2004133733.tif 000005
【図４】
2004133733.tif 000006
【図５】
2004133733.tif 000007
【図６】
2004133733.tif 000008
【図７】
2004133733.tif 000009
【図８】
2004133733.tif 000010
【図９】
2004133733.tif 000011
【図１０】
2004133733.tif 000012
【図１１】
2004133733.tif 000013
【図１２】
2004133733.tif 000014
【図１３】
2004133733.tif 000015
【図１４】
2004133733.tif 000016
【図１５】
2004133733.tif 000017
【図１６】
2004133733.tif 000018
【図１７】
2004133733.tif 000019
【図１８】
2004133733.tif 000020
【図１９】
2004133733.tif 000021
【図２０】
2004133733.tif 000022
【図２１】
2004133733.tif 000023
【図２２】
2004133733.tif 000024
【図２３】
2004133733.tif 000025
【図２４】
2004133733.tif 000026
【図２５】
2004133733.tif 000027
【図２６】
2004133733.tif 000028